(57)【要約】      （修正有）【課題】改善された組立と整備のしやすさを実現することができるＭＡＳ・ＮＭＲ試料ヘッド構造を提供する。【解決手段】測定物質４０を有するロータ１を支持するために回転軸ＲＡに沿って整列されたステータ２と、ステータ保持部３２と、ロータ１の中の測定物質４０へＲＦパルスを放射し、測定物質４０からのＲＦ信号を受信するためのＲＦコイル構造２１とを含むＭＡＳ・ＮＭＲ試料ヘッド構造２００において、ステータ保持部３２）が、ステータ２を軸方向へ挿入可能かつ取出可能であるステータ軸受を有して形成されており、ステータ２は挿入された状態のときＲＦコイル構造２１を貫いて突出し、挿入と取出のためにＲＦコイル構造２１を通して挿通可能であり、試料ヘッド構造２００は、ステータ２が挿入された状態のときにステータがステータ軸受で軸方向に固定可能にする。【選択図】図４
2019117189.tif 000002
【特許請求の範囲】
【請求項１】
測定物質（４０）を有するロータ（１）を支持するために回転軸（ＲＡ）に沿って整列されたステータ（２）と、ステータ保持部（３２）と、前記ロータ（１）の中の測定物質（４０）へＲＦパルスを放射するため、及び／又は前記ロータ（１）の中の測定物質（４０）からのＲＦ信号を受信するためのＲＦコイル構造（２１）と、を含むＭＡＳ・ＮＭＲ試料ヘッド構造（２００）において、
前記ステータ保持部（３２）は前記ステータ（２）を軸方向へ挿入可能かつ取出可能であるステータ軸受（４１）を有して形成されており、
前記ステータ（２）は挿入された状態のとき前記ＲＦコイル構造（２１）を貫いて突出し、挿入と取出のために前記ＲＦコイル構造（２１）を通して挿通可能であり、
前記試料ヘッド構造（２００）は、前記ステータ（２）が挿入された状態のときに前記ステータ（２）が前記ステータ軸受（４１）で軸方向に固定可能にする手段を含んでいることを特徴とするＭＡＳ・ＮＭＲ試料ヘッド構造（２００）。
【請求項２】
前記ステータ（２）は、第１の軸受ベース（１７）と、外装部材（１６）と、第２の軸受ベース（１８）とを含んでおり、前記外装部材（１６）は前記第１の軸受ベース（１７）と前記第２の軸受ベース（１８）とを軸方向で互いに連結し、前記第１の軸受ベース（１７）は第１の空気圧式の軸受（３）として構成され、前記第２の軸受ベース（１８）は第２の空気圧式の軸受（４）として構成され、
前記第２の軸受ベース（１８）は最大の外径ＡＤ２を有し、
前記外装部材（１６）は、前記第２の軸受ベース（１８）に軸方向で隣接して最大の外径ＡＤＶを有する前側区域（１９）を有し、
前記ＲＦコイル構造（２１）は最小の内径ＩＤＳを有し、
ＡＤ２＜ＩＤＳかつＡＤＶ＜ＩＤＳであることを特徴とする請求項１に記載の試料ヘッド構造（２００）。
【請求項３】
前記第１の軸受ベース（１７）及び／又は前記外装部材（１６）は前記第１の軸受ベース（１７）の領域において最大の外径ＡＤ１を有しており、ＡＤ１＞ＩＤＳであることを特徴とする請求項２に記載の試料ヘッド構造（２００）。
【請求項４】
前記ステータ保持部（３２）が第１のシール材（３１）を有し、これによって前記第１の軸受ベース（１７）及び／又は前記外装部材（１６）は、前記第１の軸受ベース（１７）の領域において、前記ステータ保持部（３２）に対して気密に封止されることを特徴とする請求項２又は３に記載の試料ヘッド構造（２００）。
【請求項５】
前記ステータ保持部（３２）が第２のシール材（３０）を有し、これによって前記第２の軸受ベース（１８）及び／又は前記外装部材（１６）が、前記第２の軸受ベース（１８）の領域において、前記ステータ保持部（３２）に対して気密に封止されることを特徴とする請求項２乃至４のいずれか１項に記載の試料ヘッド構造（２００）。
【請求項６】
前記外装部材（１６）が気密に構成されることを特徴とする請求項２乃至５のいずれか１項に記載の試料ヘッド構造（２００）。
【請求項７】
前記試料ヘッド構造（２００）は、前記ステータ（２）が挿入された状態のとき、前記外装部材（１６）によって一緒に区切られた気密の空間（３３）を形成して、その中に前記ＲＦコイル構造（２１）が配置されることを特徴とする請求項２乃至６のいずれか１項に記載の試料ヘッド構造（２００）。
【請求項８】
前記気密の空間（３３）は、排気されることを特徴とする請求項７に記載の試料ヘッド構造（２００）。
【請求項９】
前記ＲＦコイル構造（２１）が、前記気密の空間（３３）内で極低温の温度Ｔまで冷却され、好ましくはＴ≦１００Ｋ、さらに好ましくはＴ≦４０Ｋ又はＴ≦２０Ｋであることを特徴とする請求項７又は８に記載の試料ヘッド構造（２００）。
【請求項１０】
前記ロータ（１）を取り囲む空間（６９）が、特に前記ステータ（２）の内部において、極低温の温度ＴＲまで冷却され、好ましくはＴＲ≦１００Ｋ、特別に好ましくはＴＲ≦４０Ｋ又はＴＲ≦２０Ｋであることを特徴とする請求項７又は８に記載の試料ヘッド構造（２００）。
【請求項１１】
挿入された状態のときに前記ステータ（２）を前記ステータ軸受（４１）で軸方向に固定可能である前記手段は、固定をする位置のとき前記ステータ（２）に軸方向で後方で係合する可動又は取外し可能な固定部品（４３；５０）を含んでおり、
特に、可動又は取外し可能な前記固定部品（４３；５０）は、前記第１の軸受ベース（１７）の領域で前記ステータ（２）に作用することを特徴とする請求項１乃至１０のいずれか１項に記載の試料ヘッド構造（２００）。
【請求項１２】
挿入された状態のときに前記ステータ（２）を前記ステータ軸受（４１）で軸方向に固定可能である前記手段は、少なくとも１つの定置の固定部品（６１）を含んでおり、前記定置の固定部品（６１）は、前記ステータ（２）が挿入された状態のときに前記ステータ（２）に対して半径方向（ＲＲ）に押圧をする弾性部材（４４）を有して構成されており、
特に、シールリング（３１，３０）として構成された２つの定置の固定部品（６１）が設けられることを特徴とする請求項１乃至１１のいずれか１項に記載の試料ヘッド構造（２００）。
【請求項１３】
前記ステータ保持部（３２）は、前記ステータ保持部（３２）において前記ステータ（２）が軸方向へ最大限繰り込まれた位置を定める軸方向のストッパ（３２ｂ）を形成しており、特に、前記軸方向のストッパ（３２ｂ）は、前記第１の軸受ベース（１７）又は前記第１の軸受ベース（１７）を包囲する領域の前記外装部材（１６）によって形成される、前記ステータ（２）の肩部（４２）と協働することを特徴とする請求項１乃至１２のいずれか１項に記載の試料ヘッド構造（２００）。
【請求項１４】
前記第１の空気圧式の軸受（３）と前記第２の空気圧式の軸受（４）が、ロータ（１）を前記ステータ（２）において半径方向に支持するために構成されており、
前記第１の空気圧式の軸受（３）の領域でロータ（１）の円筒状の区域（６）に第１の軸受面（１０）を半径Ｒ１で構成するとともに、前記第２の空気圧式の軸受（４）の領域で第２の軸受面（１３）を半径Ｒ２で構成する前記ロータ（１）が前記ステータ（２）に挿入されることを特徴とする請求項２乃至１３のいずれか１項に記載の試料ヘッド構造（２００）。
【請求項１５】
前記軸受ベース（１７，１８）のうちの一方に、特に前記第２の軸受ベース（１８）に、さらに第３の空気圧式の軸受（５）が構成されており、これによって前記ステータ（２）に配置されるロータ（１）を軸方向で保持することができ、特に、前記ロータ（１）が、回転軸（ＲＡ）に対して垂直に向けられた第３の軸受面（１４）を有することを特徴とする請求項２乃至１４のいずれか１項に記載の試料ヘッド構造（２００）。
【請求項１６】
前記軸受ベース（１７，１８）のうちの他方には、特に前記第１の軸受ベース（１７）には、さらにカウンタ軸受（３５）が構成されており、これによって前記ステータ（２）に配置される前記ロータ（１）を追加的に軸方向で保持できることを特徴とする請求項１５に記載の試料ヘッド構造（２００）。
【請求項１７】
ロータ（１）に充填された測定物質（４０）をＭＡＳ・ＮＭＲ実験で測定するための、請求項１乃至１６のいずれか１項に記載の試料ヘッド構造（２００）の利用法において、前記ロータ（１）は前記ステータ（２）の中に配置されており、前記ステータ（２）は前記ステータ軸受（４１）に挿入されて固定されており、前記ロータ（１）は、好ましくは少なくとも１ｋＨｚの周波数で、特別に好ましくは少なくとも１０ｋＨｚの周波数で、回転軸（ＲＡ）を中心として回転する利用法。
【発明の詳細な説明】
【技術分野】
【０００１】
本発明は、測定物質を有するロータを支持するために回転軸に沿って整列されたステータと、ステータ保持部と、ロータの中の測定物質へＲＦパルスを放射するため、及び／又はロータの中の測定物質からのＲＦ信号を受信するためのＲＦ（高周波）コイル構造とを含むＭＡＳ・ＮＭＲ試料ヘッド構造に関する。
【背景技術】
【０００２】
このようなＭＡＳ・ＮＭＲ試料ヘッド構造は、特許文献１から公知となっている。
【０００３】
核磁気共鳴（＝ＮＭＲ、ｎｕｃｌｅａｒ  ｍａｇｎｅｔｉｃ  ｒｅｓｏｎａｎｃｅ）分光法は、測定物質（試料）の化学的な組成を調べることができる、機器分析化学の１つの高性能な方法である。この場合、測定物質が強力な静磁場に暴露され、それによって測定物質の中で核スピンの整列が生じる。ＲＦ（高周波）パルスへの暴露後、測定物質から出てくるＲＦ信号が記録され、評価されて、化学組成を決定する。
【０００４】
固体試料のＮＭＲ分光法では、試料のそれぞれの核の間の異方性の相互作用に基づき、測定されるＮＭＲスペクトルに著しい線拡大が生じる。固体状の試料については、試料物質をＮＭＲ測定中に、静磁場の方向に対して約５４．７°のいわゆる「マジック角」で回転させることが知られている（ＭＡＳ：「マジック角試料回転（ｍａｇｉｃ  ａｎｇｌｅ  ｓｐｉｎｎｉｎｇ）」）。それにより、双極子相互作用、四極子相互作用、及び化学シフトの異方性部分による線拡大を低減することができ、又は回転周波数が十分に高ければ消滅させることができる。
【０００５】
そのために典型的には、測定物質が、ロータと呼ばれる実質的に円筒状の試料管に充填され、ステータの中に入れられる。ロータはステータに対して相対的に回転し、このときロータはステータの中に浮いている。そのために、適当なガス流が利用される。ＲＦパルスを測定物質へ放射するために、及び／又はＲＦ信号を測定物質から受信するために、ステータを取り囲むＲＦコイル構造が設けられる。
【０００６】
特許文献１より、ハウジング管と内側のスリーブとを有するように構成されたステータが公知となっている。内側のスリーブの中にロータが配置される。内側のスリーブには同じ半径で、ロータのほうを向く、２つの軸受のためのノズル出口開口部が構成されている。一方の軸受はロータの円筒状の区域と協働し、他方の軸受はロータのテーパ状の末端部分と協働する。ステータは、ソレノイドコイルとセラミックのコイル成形体とで取り囲まれており、ステータはセラミックのコイル成形体を貫いて突出する。ステータは両端で、セラミックのコイル成形体と同じ直径を有する分配器リングと接着又ははんだ付けされている。分配器リングとステータとは固定されて接続しているので、ステータは恒久的にセラミックのコイル成形体の中に配置される。したがってステータに不具合が生じた場合、これをセラミックのコイル成形体及びソレノイドコイルと一緒にしか交換することができない。この工程には時間もコストもかかる。固定的に組み付けられたステータを有するさらに別の設計形態が、特許文献２から公知となっている。
【０００７】
特許文献３より、ロータとステータとを有するＮＭＲ・ＭＡＳ試料ヘッドが開示されており、これは、２つの空気圧式のラジアル軸受とボトムベアリングとを有する。ステータに使用されるラジアル軸受の各部品の間に、ＲＦコイル構造を配置することができる。ロータは円筒形であり、両方のラジアル軸受で等しい半径を有する。同様に、ステータのノズル出口開口部も、両方のラジアル軸受のところで等しい半径を有している。このような設計形態では、ステータに不具合が生じたときに試料ヘッドを部分的に分解することができ、ステータ部分を半径方向に取り外すことができる。しかしそれには高いコストがかかる。ステータに使用されるラジアル軸受の各部品の間にＲＦコイル構造が配置される場合、ステータを軸方向へ挿入及び取出をすることが可能でない。これに類似する構造が特許文献４及び特許文献５からも公知となっている。
【０００８】
特許文献６及び特許文献７より、ＲＦコイルをステータの開口部へ半径方向に挿入することが公知となっている。特許文献８及び特許文献９ではＲＦコイルがステータ構造へ挿入されて、これにより包囲される。両方の側から組み付けられる２部分からなるステータが、特許文献１０及び特許文献１１から公知となっている。
【先行技術文献】
【特許文献】
【０００９】
【特許文献１】米国特許第７，９１５，８９３Ｂ２号明細書
【特許文献２】米国特許第７，２８２，９１９Ｂ２号明細書
【特許文献３】米国特許出願公開第２０１６／０３３４４７８Ａ１号明細書
【特許文献４】ドイツ特許第１０  ２０１３  ２０１  １１０  Ｂ３号明細書
【特許文献５】米国特許第７，１９６，５２１Ｂ２号明細書
【特許文献６】米国特許第８，２１２，５６５Ｂ２号明細書
【特許文献７】米国特許第４，５１１，８４１号明細書
【特許文献８】米国特許第６，３２０，３８４Ｂ１号明細書
【特許文献９】米国特許第６，８０３，７６４Ｂ２号明細書
【特許文献１０】米国特許第９，３３５，３８９号明細書
【特許文献１１】米国特許出願公開第２０１０／０３２１０１８Ａ１号明細書
【発明の概要】
【発明が解決しようとする課題】
【００１０】
本発明の課題は、改善された組立と整備のしやすさを実現することができるＭＡＳ・ＮＭＲ試料ヘッド構造を提供することにある。
【課題を解決するための手段】
【００１１】
この課題は、冒頭に述べた種類のＭＡＳ・ＮＭＲ試料ヘッド構造によって、驚くほど簡単かつ効果的に解決される。このＭＡＳ・ＮＭＲ試料ヘッド構造は：
ステータ保持部が、ステータを軸方向へ挿入可能かつ取出可能であるステータ軸受を有して形成されており、
ステータは挿入された状態のときＲＦコイル構造を貫いて突出し、挿入と取出のためにＲＦコイル構造を通して挿通可能であり、
試料ヘッド構造は、ステータが挿入された状態のときステータがステータ軸受で軸方向に固定可能にする手段を含んでいることを特徴とする。
【００１２】
本発明の枠内では、ステータとステータ保持部又はＭＡＳ・ＮＭＲ試料ヘッド構造は、ステータをステータ軸受の中へ軸方向に（通常動作の場合におけるロータの回転軸に沿って）差し込むことができ、あるいはステータ軸受から引き出せるように構成される。それによりステータを容易に組み付けて、例えば整備目的などのために取り外すことができる。軸方向の挿入と取出は、特に、高いコストのかかるＭＡＳ・ＮＭＲ試料ヘッド構造の分解をすることなく、半径方向よりもはるかに容易である。しかも、必要があれば、ステータの交換を、ステータそのものだけに限定することができ、ＭＡＳ・ＮＭＲ試料ヘッドのその他の構成要素（特にＲＦコイル構造）は、原則として一緒に交換する必要がない。ただし場合によっては、（駆動及び／又は支承及び／又は温度調節のための）ガス配管の取外しと再装着が必要になる場合があるが、これはわずかなコストにしかならない。
【００１３】
ステータは、ステータ保持部又はステータ軸受で軸方向へ可動に装着され、挿入された状態のとき、典型的にはクランプ又は応力固定によって、機械的に可逆的に又は一時的に軸方向で固定可能である。ステータの軸方向の固定は、特に、積極的係合（軸方向で後方で係合する固定部品による）及び／又は摩擦接合（半径方向に押圧をする固定部品による）によって行うことができる。軸方向の固定が、通常動作（測定動作）で通常発生する力には良好に耐えることができれば十分であるが、さらに高い力によって克服することもできる。ステータの簡単な軸方向の固定は、たとえば、半径方向でステータに対して押圧する、特に、ステータを取り囲む弾性部材、特にシールリングを通じて行うことができる。
【００１４】
ステータ軸受は、挿入された状態にあるステータを半径方向で位置決めし、及び好ましくは回転軸を中心とする回転位置に関しても位置決めする。ステータは、通常の状態において、挿入された状態で配置され、すなわちステータ軸受に配置される。この状態にあるとき、各測定物質を計測するために、ロータをステータへ挿入（及び取出）することができる。
【００１５】
ステータは、試料ヘッド構造での組立時や整備目的のために、ＲＦコイル構造が設置されたままで、ひとまとめで挿入及び取出をすることができ、特に、試料ヘッド構造から取り外すことができる。そして、たとえば、ステータの洗浄作業（たとえばロータの破損の結果として測定物質が放出された場合）をいっそう容易に実施することができ、特にＲＦコイル構造の取外しをすることなく、損傷したステータをいっそう容易に取り替えることができる。
【００１６】
本発明の好ましい実施形態
本発明による試料ヘッド構造の１つの好ましい実施形態では、
ステータが、第１の軸受ベースと、外装部材と、第２の軸受ベースとを含んでおり、外装部材は第１の軸受ベースと第２の軸受ベースとを軸方向で互いに連結し、第１の軸受ベースは第１の空気圧式の軸受として構成され、第２の軸受ベースは第２の空気圧式の軸受として構成され、
第２の軸受ベースは最大の外径ＡＤ２を有し、
外装部材は、第２の軸受ベースに軸方向で隣接して最大の外径ＡＤＶを有する前側区域を有しており、
ＲＦコイル構造は最小の内径ＩＤＳを有し、
ＡＤ２＜ＩＤＳかつＡＤＶ＜ＩＤＳであることを意図する。
【００１７】
この設計形態によって、簡単な方法で、確実に、ステータの前側部分をＲＦコイル構造に内部でこれを通過させることができる。挿入された状態のとき、ステータの外装部材の前側区域と第２の軸受ベースは、ＲＦコイル構造を貫いて突出する。この設計形態は実際に、特に有用性が実証されている。第２の軸受ベースと外装部材の前側区域（すなわちステータの前側の部分全体）の外径をＲＦコイル構造の内径に比べて小さくしたため、ステータをＲＦコイル構造に容易に挿通させることが可能である。前側区域は典型的にはＬＶ≧０．５＊ＬＳあるいはＬＶ≧１．０＊ＬＳの長さＬＶを有する。ここでＬＳはＲＦコイル構造の長さである（つながれた複数のサブコイルがあるケースでは、もっとも内側のサブコイルを基準とする）。典型的には、ステータは第１の空気圧式の軸受のすぐ手前までＲＦコイル構造に突入する。外装部材により、一方ではロータとステータの間にガス流を構成し、他方では、ステータ及び／又は外装部材の内部及び／又は外部で空間を構成し得ることで、特別な条件のもとにおける、たとえば、特別な温度や圧力状況におけるＭＡＳ・ＮＭＲ測定に合わせた、特に最適化された状況を作り出すことができる。さらには、連結をする外装部材によって、ひとまとめで取扱可能なステータ構成要素を構成することができる。
【００１８】
この実施形態の１つの好ましい発展例では、第１の軸受ベース及び／又は外装部材は第１の軸受ベースの領域において最大の外径ＡＤ１を有しており、ＡＤ１＞ＩＤＳである。第１の軸受ベースは、この実施形態では、ＲＦコイル構造の内部又はＲＦコイル構造を越えて（第２の軸受ベースが）可能であるよりも広い、半径方向の空間を利用することができる。このようにして、特に堅牢で剛性が高い第１の空気圧式の軸受を達成することができる。
【００１９】
ステータ保持部が第１のシール材を有し、これによって第１の軸受ベース及び／又は外装部材が、第１の軸受ベースの領域において、ステータ保持部に対して気密に封止される発展例も好ましい。ステータ保持部が第２のシール材を有し、これによって第２の軸受ベース及び／又は外装部材が、第２の軸受ベースの領域において、ステータ保持部に対して気密に封止される発展例も同様に好ましい。特に、第１及び第２のシール材を一緒に使用することもできる。これらのシール材は、たとえば駆動、支承、温度調節などのためのガス流を作り出して案内することができ、たとえば試料ヘッド構造の１つ又は複数の領域を的確に温度調節するために、互いに分離されたガス流を生成することができる。シール材は典型的にはゴムなどのエラストマーからなる。さらに、シール材はステータを軸方向で固定する役目を果たすことができ、もしくはこれに寄与することができる。
【００２０】
外装部材が気密に構成される発展例が特別に好ましい。それにより外装部材は、ＭＡＳ・ＮＭＲ測定のために最適化された条件を作り出すために、ガス流をロータ及び／又はステータに沿って案内し、互いに離れたガス空間を作り出すのに特別に良好に寄与することができる。特に、ＲＦコイル構造に関わりなくロータを温度調節することができる。たとえば、ロータ又は測定物質を冷却することができる。
【００２１】
さらに試料ヘッド構造が、ステータが挿入された状態のとき、外装部材によって一緒に区切られた、ＲＦコイル構造が中に配置される気密の空間を形成する発展例が好ましい。そして外装部材は、ステータをひとまとめで取扱可能にするために軸受ベースを相互に連結する構造的構成要素としての役目だけでなく、（挿入された状態のとき）ＲＦコイル構造の気密な空間のための分離壁としての役目も果たす。それにより、半径方向で特にコンパクトな設計を実現することができる。さらに、ＭＡＳ・ＮＭＲ測定を最適化するために、ＲＦコイル構造を的確に特別な条件に、特に、ロータや試料ヘッド（試料ヘッド構造とも呼ぶ）の周囲とは異なる条件に置くことが可能である。
【００２２】
このとき、気密の空間が排気されていると特別に好ましい。それにより、ＲＦコイル構造を非常に良好に熱的に絶縁することができる。
【００２３】
ＲＦコイル構造が気密の空間内で、好ましくはＴ≦１００Ｋの、さらに好ましくはＴ≦４０Ｋ、又はＴ≦２０Ｋの極低温の温度Ｔまで冷却されるのも好ましい。ＲＦコイル構造の極低温の温度により、ＭＡＳ・ＮＭＲ測定の信号対雑音比を改善することができる。留意すべきは、この空間がロータの周囲（特にステータの中）で典型的には室温になっていることである（別案として、ロータ又は測定物質をガス流によって的確に温度調節することもできる）。
【００２４】
ロータを取り囲む空間であって特にステータの内部が、好ましくはＴＲ≦３００Ｋの、特別に好ましくはＴＲ≦１００Ｋ、又はＴＲ≦２０Ｋの温度ＴＲまで冷却されるのも好ましい。冷却での温度調節により、ＭＡＳ・ＮＭＲ測定について所望の条件を確立するために、スピン緩和、特に、減速などの測定試料内のプロセスに影響を及ぼすことができる。冷却は、典型的には駆動ガス及び／又は軸受ガスによって行われる。それに対して、ＲＦコイル構造が中に配置される気密の空間は、典型的には室温である（別案として、気密の空間又はＲＦコイル構造でこれ以外の温度を的確に調整することもできる）。
【００２５】
制御装置が存在するのが好ましく、これによってロータを取り囲む空間を特にステータの内部で温度ＴＲに関して、好ましくは０℃≦ＴＲ≦８０℃の、特に好ましくは−４０℃≦ＴＲ≦１５０℃の温度範囲内で調整することができる。このような温度範囲は生物学的な測定試料について特に適しており、特に、ロータ温度を作動時に変性温度以下に保つことができれば、タンパク質の変性を回避することができる。
【００２６】
さらに、挿入された状態のときにステータをステータ軸受で軸方向に固定可能である手段が、固定をする位置のときステータに軸方向で後方で係合する、可動又は取外し可能な固定部品を含んでおり、特に、可動又は取外し可能な固定部品は、第１の軸受ベースの領域でステータに作用する実施形態が好ましい。軸方向での後方からの係合により、特に信頼度の高い軸方向の固定を実現することができる。典型的にはステータは、軸方向の遊びを回避するために、固定部品によって（固定をする位置にあるときに）軸方向でも（他の）ステータ保持部に弾性的に応力固定される。固定部品は（固定をする位置にあるときに）多くの場合、（他の）ステータ保持部にねじ止めされる。固定をする位置にないとき（たとえば引き戻し、離反旋回、又は持ち上げ位置などにあるとき）、ステータの軸方向の移動距離は、たとえばステータの取外しなどのために、制限されていない。後方から軸方向に係合する固定部品には、ステータに対して軸方向に押圧をする弾性部材が配置されていてよい。別案として、可動の固定部品は、固定をする位置にあるときは、弾性部材などによって（たとえばエラストマー体やばねを有するものによって）半径方向でステータに対して押圧をして、これを摩擦接合で固定することができる。可動の固定部品は、たとえば植込ボルトとして構成されていてよく、その前側端部に弾性部材が配置される。
【００２７】
挿入された状態のときにステータをステータ軸受で軸方向に固定可能である手段が少なくとも１つの定置の固定部品を含んでおり、定置の固定部品は、ステータが挿入された状態のときにステータに対して半径方向に押圧をする弾性部材を有して構成され、特に、シールリングとして構成された２つの定置の固定部品が設けられている実施形態が好ましい。（ステータ保持部に対して）定置の固定部品は、特に簡単に配置することができる。少なくとも１つの定置の固定部品は、ステータが挿入された状態であるときに、ステータを摩擦接合によって固定する。この保持力は、ステータを通常動作（測定動作）のとき軸方向で固定されたまま保つのに十分である。しかし、組立や整備のために、保持力に抗して、軸方向に、ステータをステータ軸受へ挿入してステータ軸受から取り出すことができる。弾性部材は、典型的にはエラストマー材料からなっており、特に１５０℃を上回る温度での用途についてはフルオロエラストマーからなり、−４０℃を下回る用途についてはシリコンゴム又はフルオロシリコンゴムからなる。
【００２８】
別案として弾性部材は、たとえばＰＴＦＥなどの弾性の低い材料や、弾性の低い材料と、たとえばばねの形態のプレテンション部材との組み合わせで具体化されていてもよい。シールリング（ガスケット）によって、軸方向の固定に追加して、たとえばＲＦコイル構造のための排気された空間を確立するために、ガス封止を行うことができる。
【００２９】
さらにステータ保持部が、ステータ保持部においてステータが軸方向へ最大限繰り込まれた位置を定める軸方向のストッパを形成しており、特に、軸方向のストッパは、第１の軸受ベース又は第１の軸受ベースを包囲する領域の外装部材によって形成されるステータの肩部と協働する実施形態が好ましい。ストッパによって、ステータの軸方向の位置と、したがって、ステータ内に配置されたロータの軸方向の位置も（一緒に）簡単な仕方で定めることができる。典型的には、ステータは軸方向の固定によってストッパに対して押圧される。第１の軸受ベースを包囲する領域において第１の軸受ベース又は外装部材に肩部が構成されることで、ＲＦコイル構造へ挿入可能な試料容量が悪影響を受けることがなく、それにより特に大きな試料容量を利用することができる。
【００３０】
さらに、以下のような実施形態が好ましい：
第１の空気圧式の軸受と第２の空気圧式の軸受がロータをステータにおいて半径方向に支持するために構成されており、
第１の空気圧式の軸受の領域でロータの円筒状の区域に第１の軸受面を半径Ｒ１で構成するとともに、第２の空気圧式の軸受の領域で第２の軸受面を半径Ｒ２で構成するロータがステータに挿入されることを意図する実施形態。この２つの空気圧式の軸受はステータを半径方向において適切な位置に保持する（「ラジアル軸受」）。留意すべきは、第２の軸受面がロータの（特に端部区域の）円筒状の面に、又は（特に端部区域の）テーパ状の面に位置できることである。軸受面の半径Ｒｉは、ステータの付属のノズル出口開口部に関して中央の位置を基準とする。異なる軸方向位置に複数のノズル出口開口部があるケースでは、軸受面の半径はこれらのノズル出口開口部の平均の軸方向位置の中央を基準とする。同様のことが、ステータのノズル出口開口部の半径ｒｉについても該当する。
【００３１】
前側端部が狭くなったロータを有する発展例
これに加えて、Ｒ２＜Ｒ１、さらには特にＡＤ２＝ＡＤＶである発展例が特に好ましい。半径Ｒ１を有する後側の第１の軸受面又はロータの円筒状の区域に比べて、半径Ｒ２を有する前側の第２の軸受面を狭く構成することで、第２の軸受（ラジアル軸受）又はそのステータ側の部分を構成するための半径方向の空間が提供される。それによって第２の軸受を、第１の軸受よりもステータ側で狭く構成することができる。
【００３２】
留意すべきは、このとき第２の軸受は、円筒状の区域に比べて小さい半径を有する、又は、円筒状の区域から離れるにつれて減少していく半径を有するロータの端部区域に構成されることである。
【００３３】
この発展例に対応する、ロータとステータとを含むＭＡＳ・ＮＭＲロータシステムは、一方の端部（前側、第２の空気圧式の軸受の周辺）で、他方の端部（後側、第１の空気圧式の軸受の周辺）よりも半径方向に狭く構成することができる。それにより、ロータシステムの前側端部（端部区域と、円筒状の区域の少なくとも１つの部分とを含む）を、（第１の空気圧式の軸受を有する）後側端部を嵌め込むことはできない半径方向に区切られた空間へと容易に挿入することができる。
【００３４】
本発明に基づく形状により、ステータとロータが軸方向に挿入されるＲＦコイル構造（ＲＦコイルシステム）を、ロータ又は測定物質の非常に近傍まで近づけることができる。ＲＦコイル構造の内部で測定物質のために利用可能な容積が、円筒状の区域で作用する第１の空気圧式の軸受の半径方向の幅によって規定されず、半径方向で小さいほうの端部区域に配置された第２の空気圧式の軸受の半径方向の幅（又は、円筒状の区域のほうが大きい半径方向の幅を有している場合には円筒状の区域そのもの）によってのみ規定される。全体として、ロータシステムの非常にコンパクトな構成が可能である。
【００３５】
ロータシステムが軸方向でＲＦコイル構造へ挿入されれば、このＲＦコイル構造でのロータシステムの交換が一般に非常に容易に可能である。特に、ＲＦコイル構造を試料ヘッド構造から取り外さずに、ステータを取り扱うことができる（たとえば差し込んだり、引き出したりすることができる）。真空絶縁などの、ＲＦコイル構造のための絶縁を、特に、内側半径が一定であって、実質的に軸方向に延びる内壁によって、非常に簡単に構成することができる。本発明によるロータシステムによって、特に、このような絶縁が良好に利用可能である。特に、ステータの一部（たとえば外装部材）を、半径方向内側に位置する部分として、又はＲＦコイル構造の絶縁の内壁として利用することができる（上記参照）。
【００３６】
軸方向における円筒状の区域の半径Ｒ１に比べたとき、端部区域の半径Ｒ２は、連続的に、又は区域的に連続的に、あるいは１つもしくは複数の段部をもって減少し得る。さらに、円筒状の区域から端部区域への移行も連続的に、あるいは段部をもって行うことができる。留意すべきは、第２の軸受面が回転軸と平行に延び得る、あるいは回転軸に対して円錐角をもって延び得ることである。第２の軸受は（及び第１の軸受も）、ロータを半径方向において適切な位置に保持する。
【００３７】
ＡＤＶ＝ＡＤ２である場合に、ＲＦコイル構造の内部において、最大の試料容量のための最適な空間利用を最も多く実現することができる。
【００３８】
等しい直径のラジアル軸受を有するロータを有する発展例
別案の発展例ではＲ２＝Ｒ１であり、このとき第２の軸受面もロータの円筒状の区域に構成される。このようなロータ／ステータシステムは特に容易に製造することができるが、ＲＦコイル構造とロータの中の測定物質との間でさほど小さな間隔を可能にするものではない。
【００３９】
その他の発展例
軸受ベースのうちの一方に、特に第２の軸受ベースに、さらに第３の空気圧式の軸受が構成されており、これによってステータに配置されるロータを軸方向で保持することができ、特に、ロータが、回転軸に対して垂直に向けられた第３の軸受面を有している発展例も好ましい。第３の空気圧式の軸受により、ステータの中でのロータの軸方向への変位を防ぐために、ロータに対して軸方向の保持力を及ぼすことができる。
【００４０】
このとき、軸受ベースのうちの他方には、特に第１の軸受ベースには、さらにカウンタ軸受が構成されてよく、これによってステータに配置されるロータを追加的に軸方向で保持できる。カウンタ軸受により、たとえばカウンタ軸受に圧力が及ぼされることで、第３の空気圧式の軸受をサポートすることができる。カウンタ軸受は、特に、
−特に、ステータ内に少なくとも１つのノズル出口開口部と、回転軸に対して直交するロータの軸方向端部の第４の軸受面とを有する、空気圧式のアキシャル軸受として、
−空気圧式の円錐軸受として、
−特に栓又は絞りを有する、受動的な背圧生成に基づく軸受として、
−特に、可動の栓、可変の絞り、又は空気吹込部を有する、軸受面のない、能動的な背圧生成に基づく軸受として
構成されていてよい。
【００４１】
本発明に基づく利用法
本願の発明の範囲は、ロータに充填された測定物質をＭＡＳ・ＮＭＲ実験で測定するための、上に説明した本発明による試料ヘッド構造の利用法も含み、ここで、ロータはステータの中に配置されており、ステータはステータ軸受に挿入されて固定されており、ロータは、好ましくは少なくとも１ｋＨｚの周波数で、特別に好ましくは少なくとも１０ｋＨｚの周波数で、回転軸を中心として回転する。特に、それぞれのＭＡＳ・ＮＭＲの実験と実験との間に必要に応じて（たとえば整備のためや、損傷時の交換のために）、ＲＦコイル構造を取り外すことなく、ステータをステータ軸受から軸方向に引き出して、ステータを再びステータ軸受に差し込むことができる。
【００４２】
本発明のその他の利点は、発明の詳細な説明と図面から明らかとなる。同様に、上に挙げた構成要件及び以下に記載する構成要件は、本発明に基づき、それぞれ個々に単独で又は任意の複数の組み合わせとして実現することができる。図示及び記載されている実施形態は完全な列挙として理解されるものではなく、むしろ、本発明を記述するための例示としての性格を有するものである。
【００４３】
発明と図面の詳細な説明
本発明が図面に示されており、実施例を参照しながら詳しく説明する。図面は次のものを示す。
【図面の簡単な説明】
【００４４】
【図１】円錐台状の前側端部区域を有する、本発明のためのＭＡＳ・ＮＭＲロータシステムの第１の設計形態を示す模式的な断面図である。ステータは、外装部材と、アキシャル軸受と、２つのラジアル軸受と、カウンタ軸受とを含んでいる。駆動装置は、アキシャル軸受と反対を向く側に構成されている。ここに図示する設計形態は、Ｏリングを介するステータホルダでのステータの固定を含んでいるが、それ以外の方法によっては他のアキシャル固定部を含んでいない。これに加えて、線材コイルからなるＲＦコイル構造が示されている。
【図２】大部分が円筒状である前側端部区域を有する、本発明のためのＭＡＳ・ＮＭＲロータシステムの第２の設計形態を示す模式的な断面図である。ステータは、外装部材と、アキシャル軸受と、２つのラジアル軸受と、前側端部区域の領域に構成された駆動装置とを含んでいる。ここに図示する設計形態は、ばね力によるステータホルダでのステータの軸方向固定を含んでいる。これに加えて、ＲＦコイルが装着されたコイル支持体を含むＲＦコイル構造が示されている。
【図３】大部分が円筒状である前側端部区域を有する、本発明のためのＭＡＳ・ＮＭＲロータシステムの第３の設計形態を示す模式的な断面図である。ステータは、外装部材と、アキシャル軸受と、２つのラジアル軸受と、ロータの後側の領域でアキシャル軸受に対向して構成され、ステータでのロータの保持力を高めるためのタービン排気の流動制限を有する駆動装置とを含んでいる。ここに図示する設計形態は、軸受と駆動装置のためのガス接続による、ステータ保持部でのステータのアキシャル固定を含んでいる。
【図４】ステータが試料ヘッド構造に対して固定的な角度で取り付けられる、本発明に係る試料ヘッド構造の実施形態を示す模式的な断面図である。
【図５】本発明のためのＭＡＳ・ＮＭＲロータシステムの第４の設計形態を示す模式的な断面図であり、図３に示すものと類似するが、全面的に円筒状のロータを有している。
【発明を実施するための形態】
【００４５】
図１は、測定物質が固体又は半固体の形態（たとえば粉末やゲル）で中に配置されるロータ１と、ステータ２とを含む、本発明のためのＭＡＳ・ＮＭＲロータシステム１００の第１の設計形態を示す。図１の上側には、ステータ２が（ステータ保持部３２の各部分とともに）示され、図１の中央にはロータ１が示され、図１の下側には、ロータ１とステータ２とを有するＭＡＳ・ＮＭＲロータシステム１００の全体が（ステータ保持部３２の各部分とともに）示されている。ＭＡＳ・ＮＭＲロータシステム１００とステータ保持部３２は、本発明に係る試料ヘッド構造２００の一部である。
【００４６】
ステータ２は、第１の空気圧式の軸受（ここではラジアル軸受）３と、第２の空気圧式の軸受（ここではラジアル軸受）４と、第３の空気圧式の軸受（ここではアキシャル軸受）５とを含んでいる。ロータ１は、ステータ２の内部において、回転軸ＲＡを中心として回転可能に支持される。
【００４７】
ロータ１は、円筒状の区域６と、図１ではロータ１の最も左側（前側）の閉じた端部を形成する端部区域７とを含んでいる。端部区域７はここでは円錐台状を呈しており、左側の端部に向かって先細になっていく。回転軸ＲＡに対する端部区域７の円錐角αは、ここでは約３０°であり、好ましくは一般に１０°〜４５°である。ロータ１の最も右側（後側）の端部には、キャップ９で閉じられる開口部８が構成されており、それにより、ロータ１の中に充填された測定物質がＮＭＲ実験中に失われることがない。キャップ９にはカウンタ構造９ａ、たとえばバッフル面（模式的にのみ図示）が構成されており、これにより、空気圧式の駆動装置２２の適当なガス流で回転軸ＲＡを中心とするロータ１の回転を可能にすることができる。キャップ９の外側半径Ｒ４は、円筒状の区域６におけるロータ１の半径Ｒ１にほぼ相当する。
【００４８】
円筒状の区域６は（外側の）半径Ｒ１を有しており、第１の空気圧式の軸受（ラジアル軸受）３のための第１の軸受面１０を構成する。第１の空気圧式の軸受（ラジアル軸受）３の（ノズル出口穴の内側端部にある）ステータ側のノズル出口開口部１１が、回転軸ＲＡに関して半径ｒ１のところに配置されている。
【００４９】
第２の空気圧式の軸受（ラジアル軸受）４は、半径ｒ２のところにノズル出口開口部１２を備えている。半径ｒ２はｒ１よりも明らかに小さく、ここではおよそｒ２＝０．６５＊ｒ１である。第２の軸受面１３が構成される、ノズル出口開口部１２に向かい合う端部区域７の半径Ｒ２は、Ｒ１よりも明らかに短くなっており、ここではおよそＲ２＝０．６５＊Ｒ１である。第２の空気圧式の軸受（ラジアル軸受）４は、ロータ１の半径方向の支持を前側端部の領域で行うだけでなく、流動状況が相応に設計されていればロータ１の軸方向の保持にも寄与することもできる。
【００５０】
ロータ１の左側の（前側の）軸方向端部のところで、ロータ１は、ノズル出口開口部１５とともに、第３の空気圧式の軸受（アキシャル軸受）５を構成する第３の軸受面１４を形成する。第３の軸受面１４は回転軸ＲＡに対して垂直であって、外側半径Ｒ３を有している。外側半径Ｒ３は、同じくＲ１よりも明らかに小さく、ここではおよそＲ３＝０．５＊Ｒ１である。
【００５１】
第２の空気圧式の軸受（ラジアル軸受）４の、及び第３の空気圧式の軸受（アキシャル軸受）５のステータに面する部分は、第３の軸受面１４及びここではその他の端部区域７も皿状に包囲する。ノズル出口開口部１２，１５に追加して、アキシャル軸受５から、第２のラジアル軸受４から、さらには実施形態に応じてではあるが少なくとも部分的に第１の空気圧式の軸受（ラジアル軸受）３から排気を、及び場合により追加的に存在する温度調節空気を外部に向かって案内するために、排気出口開口部３４もステータ２に設けられている。このことによって、アキシャル軸受５の保持力と反対に作用することになる背圧を回避もしくは最小化するという目的が果たされる。端部区域７は、ここではロータ１（キャップ９を含む）の長さ全体の約６．５％にわたって延びている。一般には５％〜２５％が好ましい。
【００５２】
図１に示す実施形態では、第２の空気圧式の軸受（ラジアル軸受）４及び第３の空気圧式の軸受（アキシャル軸受）５のステータ側の部分は、円筒状の区域６の半径Ｒ１とほぼちょうど同じ大きさだけ半径方向に延びるように配置されている。特に、ここではｒ２＜Ｒ１が成り立つ。それに対して、第１の空気圧式の軸受（ラジアル軸受）３のステータ側の部分は、Ｒ１を超える空間を包含する。
【００５３】
ステータ２は、図１に明らかなように統一的な構成要素を形成する。そのためにステータ２は、第１の空気圧式の軸受又はラジアル軸受３のステータ側の部分が構成される第１の軸受ベース１７を、第２の空気圧式の軸受又はラジアル軸受４のステータに面する部分が（また、ここでは第３の空気圧式の軸受又はアキシャル軸受５のステータ側の部分も）構成される第２の軸受ベース１８に機械的に連結する外装部材１６を備えている。外装部材１６は、第２の軸受ベース１８に隣接する前側区域１９を備え、（最大の）外径ＡＤＶを有し、ならびに、ここでは、第１の軸受部材１７に隣接する、（最大の）外径ＡＤＨを有する後側区域２０を備えている。第１の軸受ベース１７の（最大の）外径はＡＤ１であり、第２の軸受ベース１８の（最大の）外径はＡＤ２である。
【００５４】
ＭＡＳ・ＮＭＲロータシステム１００のステータ２は、具体的には、第２の軸受ベース１８及び外装部材１６の前側区域１９は、最小の内径ＩＤＳを有するＲＦコイル構造２１を貫いて突出する。前側区域１９は、ここではＲＦコイル構造２１の軸方向長さＬＳよりもわずかに大きい軸方向長さＬＶを有する。ＲＦコイル構造は、ここでは自立式の線材コイル（コイル支持体なし）として構成されている。
【００５５】
ＭＡＳ・ＮＭＲロータシステム１００は、後側区域２０まで軸方向へ（ここでは右側から）ＲＦコイル構造２１の中に差し込まれる。そのために、ここではＡＤ２＜ＩＤＳ及びＡＤＶ＜ＩＤＳでもあることが達成されており、ここではＡＤＶ＝ＡＤ２である。ロータ１又はこれに含まれる測定物質を、ＲＦコイル構造２１の非常に近傍まで半径方向に近づけることができる。それに対してＡＤ１＞ＩＤＳであり、それにより、第１の空気圧式の軸受（ラジアル軸受）３がノズル出口開口部１１の場所において大きい半径ｒ１を有するように構成されていてよく、ここで、ＡＤ１＞ＩＤＳとして、ロータ１の（後側の）半径方向での支持を改善してもよい。整備目的で、ＲＦコイル構造２１をＭＡＳ・ＮＭＲ試料ヘッド構造２００から取り外すことなく、ステータ２をＲＦコイル構造２１から（ここでは右方に向かって）軸方向に引き出し、修理後に（又は必要な場合には交換後に）再びＲＦコイル構造２１の中へ（左方に向かって）差し込むことが容易に可能である。
【００５６】
第３の空気圧式の軸受（アキシャル軸受）５が、必要に応じて第２の空気圧式の軸受（ラジアル軸受）４の保持への寄与と合わせても、ロータ１を回転動作時に軸方向で位置に関して保持するのに足りない場合は、ここではキャップ側の端部で、たとえばノズル出口開口部３６を通るガス流によって、ロータ１をアキシャル軸受５に向かって押圧するカウンタ軸受３５が、（図１に示すように）設けられていてよい。カウンタ軸受３５は、ステータ交換のために離反旋回又は離反スライドさせることができる、もしくはロータ交換のたびに組み付けることができる、たとえばねじ止めすることができる（詳しくは図示せず）、旋回可能又はスライド可能なステータ部分に構成されていてよい。図示した実施形態ではカウンタ軸受３５は、ロータ１が挿入されたときにステータ２が閉止される閉止蓋３７に組み込まれている。閉止蓋３７は、ここでは空気出口開口部３４ａも有している。
【００５７】
ステータ２は、ステータ２のためのステータ軸受４１を構成するステータ保持部３２に支持される。これによってステータ２を軸方向へ（回転軸ＲＡと平行に）挿入及び取出することができる。図１では、上側と下側に挿入された状態が示されている。ここではステータ軸受４１は、図示した実施形態では第２の軸受ベース１８を包囲し、ステータ２が半径方向へ動くときのための半径方向の区切り３２ａを構成する前側部分４１ａを含んでいる。さらにここではステータ軸受４１は、図示した実施形態では第１の軸受ベース１７を包囲し、同じく半径方向の区切り３２ａを構成する後側部分４１ｂを含んでいる。後側部分４１ｂは、第１の軸受ベース１７の肩部４２が当接する、ステータ２のための軸方向のストッパ３２ｂも構成する。ステータ軸受４１のそれぞれの部分４１ａ，４１ｂの間に、半径方向で外装部材１６にすぐ隣接するように、ＲＦコイル構造２１が配置される。詳しくはＲＦコイル構造２１は図示しない仕方でＭＡＳ・ＮＭＲ試料ヘッド構造２００に取り付けられるが、たとえば（ステータ２にではなく）ステータ保持部３２に取り付けられる。
【００５８】
ステータ軸受４１のそれぞれの部分４１ａ，４１ｂには溝が設けられていて、その中にシール材（シールリング）３０，３１、ここではゴムなどの弾性材料からなるＯリングが配置されている。このシール材は、ここでは第２の軸受ベース１８と第１の軸受ベース１７の外面に対して周回しながら押圧をする。これにより、半径方向内側で外装部材１６によって一緒に区切られる、排気された気密な空間３３が封止される。この排気された空間３３で、この中に含まれるＲＦコイル構造２１を良好な熱的な絶縁のもとで、特に、たとえば２０Ｋの極低温の温度になるように、温度調節することができる。
【００５９】
シール材３１，３０は、図１の実施形態では、定置の（すなわちステータ保持部３２で不動の）固定部品６１として機能し、これらは同時に、挿入されたステータ２を半径方向で応力固定し、それによってステータ２を摩擦接合で軸方向に固定する弾性部材４４の機能も有しているが、それは、通常動作のときその際に予想される力の観点からして必要である限りにおいてである。しかし、その他の構造を外すことなく、より大きい力によってステータ２を軸方向へ（ここでは右向きに）整備などのために引き出すことができる。留意すべきは、ステータ保持部３２へのステータ２の再挿入のとき、シール材３１，３０のところでのある程度の力（機械的な抵抗）を克服しなければならないことである。
【００６０】
ステータ２に、ここでは第１の軸受ベース１７に、ガス流供給部３８がさらに接続されている。
【００６１】
図２は、本発明のためのＭＡＳ・ＮＭＲロータシステム１００の第２の設計形態を示しており、これは図１の設計形態にほぼ相当しているので、ここでは主要な相違点だけを説明する。同じく上側にステータ２（ステータ保持部３２の各部分を含む）、中央にロータ１、下側にロータ１とステータ２を有するＭＡＳ・ＮＭＲロータシステム１００が示されている。ＭＡＳ・ＮＭＲロータシステム１００とステータ保持部３２は、本発明による試料ヘッド構造２００の一部である。
【００６２】
図示した実施形態では、ロータ１は、前側部分７ａでは円筒状に構成され、円筒状の区域６へと通じる後側部分７ｂではテーパ状（円錐台状）に構成された端部区域７を有している。端部区域７は、ノズル出口開口部１２に対向する円筒状の前側部分７ａの領域で、第２の空気圧式の軸受（ここではラジアル軸受）４の第２の軸受面１３を構成する。第２の軸受面１３の半径Ｒ２は、ノズル出口開口部１５に対向する、第３の空気圧式の軸受（ここではアキシャル軸受）５の第３の軸受面１４の半径Ｒ３に等しい。Ｒ２とＲ３はいずれも、第１の空気圧式の軸受（ここではラジアル軸受）３のノズル出口開口部１１に対向する第１の軸受面１０の半径Ｒ１より明らかに小さい。端部区域７の一部が、ここではロータ１のキャップアタッチメント３９によって構成される。キャップアタッチメント３９には、駆動装置２２の駆動ガス流のためにバッフル面などのカウンタ構造３９ａが構成されていて、これによりロータ１を回転軸ＲＡを中心として回転させることができる。
【００６３】
第２の空気圧式の軸受（ラジアル軸受）４のノズル出口開口部１２は、第１の空気圧式の軸受（ラジアル軸受）３のノズル出口開口部１１の半径ｒ１よりも明らかに小さい半径ｒ２のところにあって、半径ｒ２はまた、円筒状の区域６の（外側の）半径Ｒ１よりも明らかに小さく、それにより、ＲＦコイル構造２１の中へ横から軸方向に容易に差し込むことができる、非常にコンパクトな設計形態をここでも実現可能である。ＲＦコイル構造２１は、ここでは管状のコイル支持体２１ａを有するように構成されていて、管状のコイル支持体２１ａの外面にＲＦコイル構造２１の導線部材２１ｂが配置されている。
【００６４】
図示した実施形態では、ステータ２は温度調節ガスノズル５１を有しており、これによって、ステータ２の中におけるロータ１の周囲で、及びそれによってロータ１の中でも、所望するように温度を調整可能である。たとえば、ＮＭＲ測定中のタンパク質の変性を防止するために、ロータ１の中の測定物質をたとえば約０℃で穏やかに冷却することができる。さらに、ここでは高圧ガスノズル５２が設けられており、これによって、ロータ１の軸方向位置を回転軸ＲＡを中心とする回転中に固定するために、ここではキャップ９に形成されているロータ１のバッフル面５３への圧力を調整することができる。
【００６５】
この実施形態では、近似的に等しいラジアル軸受の剛性を実現するために、第１の空気圧式の軸受（ラジアル軸受）３と同じ大きさの、又はこれよりも大きいガス流を、第２の空気圧式の軸受（ラジアル軸受）４で適用することができる。特に第２のラジアル軸受４を、第１のラジアル軸受よりも高い圧力で付勢することができる。必要であれば、この実施形態でもカウンタ軸受が設けられていてよい（図示しないが、図１及び図３を参照）。
【００６６】
図２の実施形態では、第１の軸受ベース１７のところでステータ２に後方から係合する、取外し可能な固定部品４３が設けられる。取外し可能な固定部品４３は、ステータ保持部３２にねじ止めされた（ねじ４５を参照。）固定位置で示されている。固定部品４３は弾性部材４４によって、ここではばね又はその代替としてエラストマー部材によって、ステータ２に対して後方から押圧し、それによってステータが軸方向のストッパ３２ｂに当接するように固定される。すなわちステータ２が、軸方向のストッパ３２ｂに対して弾性的に応力固定される。ステータ２をステータ保持部３２から軸方向へ（ここでは右方に向かって）引き出すために、ねじ４５を外すことができ固定部品４３を（ばねを含めて）取り外すことができる。
【００６７】
留意すべきは、取外し可能な固定部品４３がここではガス流供給部３８も含んでいることである。
【００６８】
ここでは外装管１６は、前側区域１９に比べて半径方向で幅が広いはずの後側区域を有しておらず、したがって、（ＲＦコイル構造へ挿入可能な）前側区域１９が、ここでは外装管１６の長さ全体にわたって延びている。
【００６９】
図３は、本発明のためのＭＡＳ・ＮＭＲロータシステム１００の第３の設計形態を示しており、これは図１の設計形態にほぼ相当しているので、ここでは主要な相違点だけを説明する。同じく上側にステータ２が示されているが、ステータ保持部３２へ挿入方向ＥＲに部分的にのみ差し込まれた状態で示されており、まだ固定部品５０が組み付けられていない。中央にロータ１が示されており、下側に、ロータ１とステータ２を有するＭＡＳ・ＮＭＲロータシステム１００全体が示されている。ＭＡＳ・ＮＭＲロータシステム１００とステータ保持部３２は、本発明による試料ヘッド構造２００の一部である。
【００７０】
この設計形態では、ロータ１は、円筒状の前側部分７ａとテーパ状の後側部分７ｂとを有する端部区域７を同じく有しているが（図２参照）、前側端部にキャップアタッチメントが使用されていない。空気圧式の駆動装置２２は、ロータ１の後側端部でキャップ９に当接する。外装管１６は、ここでは前側区域１９に比べて半径方向で幅が広いはずの後側区域を有しておらず、したがって、（ＲＦコイル構造２１へ挿入可能な）前側区域１９が、ここでは外装管１６の長さ全体にわたって延びている。
【００７１】
（ここでは複数の別々の構成要素を含む）固定部品５０は、ステータ軸受４１で軸方向に（挿入方向ＥＲに関して、又は回転軸ＲＡに沿って）完全に繰り込まれた状態のときに（図３の下側を参照、肩部４２及び軸方向のストッパ３２ｂが互いに当接する）ステータ２を固定する役目を果たし、それにより、ステータ２は測定中に軸方向に動くことがない。
【００７２】
固定部品５０は、第１の軸受ベース１７にある溝１７ａに挿入可能な突出部５０ａを有している。突出部５０ａが挿入された状態のとき、固定部品５０をねじ４５によってステータ保持部３２にねじ止めすることができる。ねじ止めされた状態については図３の下側を参照。半径方向ＲＲに圧入されたシール材１７ｂによって、あるいは突出部５０ａと溝１７ａのそれぞれの溝底面によって直接、ステータ２が半径方向ＲＲで挟み込まれる。それにより、シール材又はシールリング３０，３１の作用を超えて、摩擦接合によりステータ軸受４１での、軸方向の、ステータ２のさらなる固定が実現される。さらに、突出部５０ａはまた、軸方向に関して溝１７ａの中で第１の軸受ベース１７に後方で係合し、それによって追加の固定が実現される。
【００７３】
固定部品５０はここではガス流供給部３８も含んでおり、シール材１７ｂが供給ガス流を封止する。
【００７４】
ここでは閉止蓋３７にカウンタ軸受３５が含まれた構成であり、駆動装置２２の駆動空気の流出が制限されており、それにより、ロータ１を第３の空気圧式の軸受（ここではアキシャル軸受）５に向かって押圧する背圧が生じる。そのためにガス出口通路５４には調節可能なガス流制限装置、ここでは可変の絞り５５が設けられている。
【００７５】
図４には、図３に示すようにＭＡＳ・ＮＭＲロータシステム１００が組み付けられた、本発明による試料ヘッド構造２００の実施形態が模式的な断面図で示されている。
【００７６】
試料ヘッド構造２００は、ロータ１が回転軸ＲＡを中心として回転可能なように中で支持されたステータ２を含んでいる。ロータ１は、図４ではちょうど交換中であり、したがって部分的にのみ軸方向でステータ２に差し込まれている。ロータ１は、後側端部のところでキャップ９により閉止されている。ステータ２は、外装部材１６を介して機械的に連結された２つの軸受ベース１７，１８を有している。
【００７７】
試料ヘッド構造２００はＲＦコイル構造２１を有しており、ＲＦコイル構造２１の最小の内径ＩＤＳは、第２の軸受ベース１８の（最大の）外径ＡＤ２よりも大きく、及び、外装部材１６の前側区域１９（ここでは外装部材１６の長さ全体を含む）における（最大の）外径ＡＤＶよりも大きい。それにより、ステータ２の組み込みのときや整備目的のために、固定部品５０が取り外されているときにＲＦコイル構造２１へ挿通することができる。挿入された（押し込まれた）状態のとき、ステータ２は、そのためにステータ軸受を構成するステータ保持部３２で保持される。この支持部は、ここでは回転軸ＲＡが垂直方向に延びる磁界Ｂ０に対して５４．７°のマジック角で整列するように構成される。
【００７８】
気密の外装部材１６を備える、半径方向外側に向かって気密のステータ２は、ここでは軸受ベース１７，１８の領域でシール材３０，３１によりステータ保持部３２に対して封止され、それにより、ステータ２又は外装部材１６もまた空間３３を区切る。空間３３は、ここではステータ保持部３２によっても、及び詳しくは図示しないその他の壁部によっても区切られる。ＲＦコイル構造２１も含む空間３３の中で、ここではＲＦコイル構造２１を熱的に絶縁するために真空が構成される。それにより、ＭＡＳ・ＮＭＲ測定中にＲＦコイル構造２１を極低温の温度に冷却することが可能であり（たとえば標準圧力のもとでの液体窒素に準じて７７Ｋに、又はたとえば液体もしくは気体のヘリウムによる冷却の場合には、標準圧力のもとでの液体ヘリウムに準じてさらに低い温度、特に≦４０Ｋ、≦２０Ｋ、あるいはさらに低く、４．２Ｋ周辺領域の温度）、それに対してロータ１の中の測定物質４０は室温に近い温度のままに保たれ、又は２５０℃〜＋１０００℃、特に−５０℃〜＋１５０℃の範囲内の温度に合わせて、特別に好ましくは０℃〜＋５０℃の温度範囲で温度調節することができる。
【００７９】
測定中にはロータ１がステータ２の中で、典型的には１０ｋＨｚ以上の周波数で、特に１ｋＨｚからｖｓ／（２πＲ１）の範囲内のスピードで、回転軸ＲＡを中心として回転し、このときｖｓは、所与の圧力／温度条件のもとでのロータ１を取り囲むガスの音速であり、ＲＦコイル構造２１がＲＦパルスをロータ１の中の測定物質４０に照射し、及び／又は測定物質４０からＲＦ信号を受信する。その際に強い静磁場Ｂ０が、（図４の垂直方向に）測定物質４０に対して作用する。
【００８０】
全てのガス流が、軸方向に取り出し可能なステータ２の両方の端部から導出されるのが好ましく、それにより、これを容易に回収して再利用することができる。このことは特に、Ｈｅガスが用いられて動作する場合、室内空気中に失われないようにするために、低温ＭＡＳにとって好ましい。ガスはデュワーへと直接移動するのが好ましく、これにより、それが不必要に加熱されることがなく、ロータシステム１００での経路損失と摩擦を補正する（再冷却）だけでよいカプセル封じされたガス循環が可能となる。再冷却は、熱交換機と室温でのガスの圧縮によって行われるのが好ましい（詳しくは図示せず）。
【００８１】
同様に、有毒である、発がん性がある、爆発性がある、放射性を有する、又は生体に危険のある、測定試料とともにＭＡＳ・ＮＭＲ試料ヘッド構造２００が使用されるケースについては、ガス流をステータ２の両方の端部のところで回収するのが好ましい。
【００８２】
図５は、本発明のためのＭＡＳ・ＮＭＲロータシステム１００の第４の設計形態を示しており、これは図３の設計形態にほぼ相当しているので、ここでは主要な相違点だけを説明する。図５では上側に、ステータ２がステータ保持部３２の各部分とともに示されており、そこへステータが部分的に軸方向へ差し込まれており、図１の下側にはステータ２とロータ１とを有するＭＡＳ・ＮＭＲロータシステム１００、ならびにステータ保持部３２の各部分が、完全に軸方向へ差し込まれた状態で示されている。ＭＡＳ・ＮＭＲロータシステム１００は、本発明に係る試料ヘッド構造２００の一部である。
【００８３】
図示した設計形態では、ロータ１は全体として統一的な半径を有する円筒状に構成されており、それにより、第１の空気圧式の軸受（ラジアル軸受）３の第１の軸受面１０の半径Ｒ１と、第２の空気圧式の軸受（ラジアル軸受）４の第２の軸受面１３の半径Ｒ２とは、ここでは等しくなっており、すなわちＲ１＝Ｒ２である。ロータ１の後側端部では、たとえば閉管状の（図５では左側の）ガラスからなるロータ１の部分である開口部８をキャップ９が閉止し、キャップ９は、円筒状の区域６の領域における半径Ｒ１に等しい半径Ｒ４を有している。統一的な半径を有するロータ１は容易に製作することができ、破損に対して堅牢であり、充填や搬送のときに良好に取り扱うことができ、ＭＡＳ・ＮＭＲ測定の際にも回転軸ＲＡを中心とする回転に関して良好にコントロールすることができる。
【００８４】
ここではステータ２は、第１の軸受ベース１７と、第２の軸受ベース１８と、軸受ベース１７，１８を連結する外装部材１６とを備えている。第１の空気圧式の軸受（ラジアル軸受）３のノズル開口部１１における半径ｒ１は、ここでは第２の空気圧式の軸受（ラジアル軸受）４のノズル出口開口部１２における半径ｒ２に等しい。
【００８５】
ロータ１の半径は第２の軸受ベース１８を越えて拡張していないので、ここでは比較的広い空間６９がロータ１の周囲に残っており、又は、比較的広い半径方向の隙間７０が、前側区域１９において、ロータ１の外面とステータ２すなわち外装管１６の内面との間に残っている。それにより、ロータ１の特に効率的な温度調節を行うことができるが、ＲＦコイル構造２１の半径方向内部での比較的少ない量の測定物質４０によって、信号対雑音比は低くなる。
【符号の説明】
【００８６】
１  ロータ
２  ステータ
３  第１の空気圧式の軸受（ラジアル軸受）
４  第２の空気圧式の軸受（ラジアル軸受）
５  第３の空気圧式の軸受（アキシャル軸受）
６  円筒状の区域
７  端部区域
７ａ  前側部分（端部区域）
７ｂ  後側部分（端部区域）
８  開口部
９  キャップ
９ａ  カウンタ構造
１０  第１の軸受面
１１  ノズル出口開口部（第１のラジアル軸受）
１２  ノズル出口開口部（第２のラジアル軸受）
１３  第２の軸受面
１４  第３の軸受面
１５  ノズル出口開口部（アキシャル軸受）
１６  外装部材
１７  第１の軸受ベース
１７ａ  溝
１７ｂ  シール材
１８  第２の軸受ベース
１９  前側区域
２０  後側区域
２１  ＲＦコイル構造
２１ａ  コイル支持体
２１ｂ  導線部材
２２  空気圧式の駆動装置
３０  第２のシール材（シールリング）
３１  第１のシール材（シールリング）
３２  ステータ保持部
３２ａ  半径方向の区切り
３２ｂ  軸方向のストッパ
３３  気密の（排気された）空間
３４  空気出口開口部
３４ａ  空気出口開口部（カウンタ軸受）
３５  カウンタ軸受
３６  ノズル出口開口部（カウンタ軸受）
３７  閉止蓋
３８  ガス流供給部
３９  キャップアタッチメント
３９ａ  カウンタ構造
４０  測定物質
４１  ステータ軸受
４１ａ  前側部分（ステータ軸受）
４１ｂ  後側部分（ステータ軸受）
４２  肩部
４３  軸方向に後方から係合する取外し可能な固定部品
４４  弾性部材
４５  ねじ
５０  可動の固定部品
５０ａ  突出部
５２  高圧ガスノズル
５３  バッフル面
５４  ガス出口通路
５５  可変の絞り
６１  定置の固定部品
６９  ロータ周囲の空間
７０  半径方向の間隙
１００  ＭＡＳ・ＮＭＲロータシステム
２００  試料ヘッド構造
ＡＤ１  外径（第１の軸受ベース）
ＡＤ２  外径（第２の軸受ベース）
ＡＤＶ  前側区域の外径
ＡＤＨ  後側区域の外径
ＥＲ  挿入方向
ＩＤＳ  最小の内径（ＲＦコイル構造）
Ｒ１  半径（第１の軸受面）
Ｒ２  半径（第２の軸受面）
Ｒ３  外側半径（第３の軸受面）
Ｒ４  半径（キャップ）
Ｒ５  半径（キャップアタッチメント）
ｒ１  半径（第１のラジアル軸受のノズル出口開口部）
ｒ２  半径（第２のラジアル軸受のノズル出口開口部）
ＲＡ  回転軸
ＲＲ  半径方向
【図１】
2019117189.tif 000003
【図２】
2019117189.tif 000004
【図３】
2019117189.tif 000005
【図４】
2019117189.tif 000006
【図５】
2019117189.tif 000007
【外国語明細書】
2019117189000001.pdf
2019117189000002.pdf
2019117189000003.pdf
2019117189000004.pdf